(57)【要約】提供されるものは、測定ギャップ構成方法およびデバイス、記憶媒体、ならびに電子デバイスである。本方法は、第１のネットワーク要素によって、測定標的の周波数情報を判定することと、第１のネットワーク要素によって、第１のインターフェースシグナリングを通して、周波数情報を第２のネットワーク要素に通知することとを含み、第１のネットワーク要素および第２のネットワーク要素は、同一のノード上で構成される。測定ギャップを構成することができない関連技術における問題が、解決される。
2021521691.tif 000002
【特許請求の範囲】
【請求項１】
測定ギャップ構成方法であって、
第１のネットワーク要素によって、測定標的の周波数情報を判定することと、
前記第１のネットワーク要素によって、第１のインターフェースシグナリングを通して、前記周波数情報を第２のネットワーク要素に通知することと
を含み、
前記第１のネットワーク要素および前記第２のネットワーク要素は、同一のノード上で構成されている、方法。
【請求項２】
前記第１のインターフェースシグナリングは、ユーザ機器（ＵＥ）コンテキスト設定要求またはＵＥコンテキスト修正要求のうちの少なくとも１つを含む、請求項１に記載の方法。
【請求項３】
前記周波数情報は、測定周波数リストセット、各測定周波数の同期信号ブロック測定タイミング構成（ＳＭＴＣ）情報、または各測定周波数のチャネル状態情報基準信号（ＣＳＩ−ＲＳ）関連時間ドメイン構成情報のうちの少なくとも１つを含む、請求項１に記載の方法。
【請求項４】
前記第１のネットワーク要素によって、前記第１のインターフェースシグナリングを通して、前記周波数情報を前記第２のネットワーク要素に通知した後、前記方法はさらに、前記周波数情報が前記測定周波数リストセットを含む場合では、前記第２のネットワーク要素によってネットワーク管理システムから、各測定周波数の前記ＳＭＴＣ情報および各測定周波数の前記関連時間ドメイン構成情報を入手することを含む、請求項３に記載の方法。
【請求項５】
測定ギャップ構成方法であって、
第１のネットワーク要素によって、少なくとも１つの第２のネットワーク要素に関する物理リソース構成情報に従って、ギャップパターン構成情報の少なくとも１つのセットを計算することと、
前記第１のネットワーク要素によって、前記ギャップパターン構成情報の少なくとも１つのセットを対応する第２のネットワーク要素に送信することと
を含み、
前記第１のネットワーク要素は、前記少なくとも１つの第２のネットワーク要素に対応し、前記第１のネットワーク要素および前記少なくとも１つの第２のネットワーク要素は、同一のノード上で構成されている、方法。
【請求項６】
前記第１のネットワーク要素によって、以下の様式：
前記第１のネットワーク要素によって、要求メッセージを前記少なくとも１つの第２のネットワーク要素に送信する様式で前記物理リソース構成情報を入手すること、または、
前記少なくとも１つの第２のネットワーク要素によって、前記物理リソース構成情報をアクティブ報告の様式で前記第１のネットワーク要素に送信すること
のうちの１つにおいて前記物理リソース構成情報を入手することをさらに含む、請求項５に記載の方法。
【請求項７】
前記物理リソース構成情報は、スケジューリング要求（ＳＲ）、サウンディング基準信号（ＳＲＳ）、または不連続受信（ＤＲＸ）のうちの少なくとも１つを含む、請求項５に記載の方法。
【請求項８】
前記ギャップパターン構成情報は、ギャップ周期、ギャップ持続時間、ギャップオフセット、またはギャップタイプのうちの少なくとも１つを含む、請求項５に記載の方法。
【請求項９】
前記第１のネットワーク要素によって、前記ギャップパターン構成情報の少なくとも１つのセットを前記対応する第２のネットワーク要素に送信することは、
前記第１のネットワーク要素によって、前記ギャップパターン構成情報のうちの少なくとも１つのセットを同時に前記少なくとも１つの第２のネットワーク要素の全てに送信すること、または、
前記第１のネットワーク要素によって、前記少なくとも１つの第２のネットワーク要素のそれぞれの上のサービングセルの実際の周波数構成に従って、前記ギャップパターン構成情報の少なくとも１つのセットを独立して配信すること
のうちの１つを含む、請求項５に記載の方法。
【請求項１０】
複数の前記第１のネットワーク要素が存在する場合では、マスタノードの第１のネットワーク要素が、前記ギャップパターン構成情報の少なくとも１つのセットを二次ノードの第１のネットワーク要素に送信する、または二次ノードの第１のネットワーク要素が、前記二次ノードの第２のネットワーク要素上のサービングセルの実際の周波数構成に従って、前記ギャップパターン構成情報の少なくとも１つのセットを独立して配信する、請求項９に記載の方法。
【請求項１１】
測定ギャップ構成方法であって、
第２のネットワーク要素によって、ギャップパターンを構成することと、
前記第２のネットワーク要素によって、前記ギャップパターンを第１のネットワーク要素に通知することと
を含み、
前記第１のネットワーク要素は、前記第２のネットワーク要素のうちの少なくとも１つに対応し、前記第１のネットワーク要素および複数の前記第２のネットワーク要素は、同一のノード上で構成されている、方法。
【請求項１２】
前記第２のネットワーク要素によって、前記ギャップパターンを前記第１のネットワーク要素に通知した後、前記方法はさらに、前記第１のネットワーク要素が新しい第２のネットワーク要素を追加する場合では、前記第１のネットワーク要素によって、前記第１のネットワーク要素内にあったギャップパターン構成を、第１のインターフェース設定メッセージを通して、前記新しい第２のネットワーク要素に送信することを含む、請求項１１に記載の方法。
【請求項１３】
前記第１のネットワーク要素によって、前記第１のインターフェース設定メッセージを通して、前記使用されたギャップパターン構成を前記新しい第２のネットワーク要素に送信した後、前記方法はさらに、前記新しい第２のネットワーク要素によって、前記第２のネットワーク要素に、前記ギャップパターン構成が適切であるかどうかを表すための説明情報をフィードバックすることを含む、請求項１２に記載の方法。
【請求項１４】
前記説明情報が、前記ギャップパターン構成が適切ではないことを表す場合では、前記第１のネットワーク要素は、ギャップパターン構成計算を再実施する、または前記第２のネットワーク要素は、前記ギャップパターンを再構成する、請求項１３に記載の方法。
【請求項１５】
前記ギャップパターンは、ギャップ周期、ギャップ持続時間、ギャップオフセット、またはギャップタイプのうちの少なくとも１つを含む、請求項１１に記載の方法。
【請求項１６】
測定ギャップ構成方法であって、
ユーザ機器（ＵＥ）によって、エアインターフェース再構成メッセージを受信することと、
エアインターフェース再構成情報が前記ＵＥのギャップ要件の変更を引き起こし、前記ＵＥが無線リソース制御（ＲＲＣ）再構成完了メッセージに応答する場合では、前記ＵＥによって、マスタノードのＲＲＣメッセージの情報要素内で、前記ギャップ要件の変更をネットワーク側に通知することと
を含み、
前記ＵＥは、前記マスタノードおよび二次ノードに同時に接続され、前記マスタノードは、進化型ＮｏｄｅＢ（ｅＮＢ）または次世代ＮｏｄｅＢ（ｇＮＢ）であり、前記二次ノードは、ｇＮＢまたはｅＮＢである、方法。
【請求項１７】
前記エアインターフェース再構成メッセージは、前記二次ノードによって発生され、前記エアインターフェース再構成メッセージは、カプセル化様式で前記マスタノードの前記ＲＲＣメッセージを通して、前記ＵＥに配信される、請求項１６に記載の方法。
【請求項１８】
前記ＲＲＣ再構成完了メッセージは、前記ＵＥから前記マスタノードに送信され、前記ＲＲＣ再構成完了メッセージは、カプセル化様式で搬送される、請求項１６に記載の方法。
【請求項１９】
前記ＲＲＣメッセージの情報要素は、以下の形態：
ギャップが構成される必要があるかどうかを示すこと、
それぞれ、周波数範囲（ＦＲ）１を伴うサービングセルがギャップを必要とするかどうか、およびＦＲ２を伴うサービングセルがギャップを必要とするかどうかを示すこと、または、
現在のサービングセルの構成に関して、各周波数がギャップを必要とするかどうかを示すこと
のうちの１つを含む、請求項１６に記載の方法。
【請求項２０】
前記ＲＲＣメッセージはさらに、所望のギャップパターンタイプを搬送する、請求項１６に記載の方法。
【請求項２１】
前記ＵＥによって、外側層上の前記ＲＲＣメッセージの情報要素内で、前記ネットワーク側に通知した後、前記方法はさらに、前記ＵＥによって、前記ネットワーク側によって送信された新しいギャップ構成を受信することを含み、前記ギャップ構成は、前記受信されたＲＲＣメッセージの情報要素に従って、ギャップの構成を実施する前記ネットワーク側によって取得される、請求項１６に記載の方法。
【請求項２２】
測定ギャップ構成方法であって、
二次ノードによって、第２のインターフェースメッセージ内のインジケーションを搬送することによって、ギャップ構成更新またはギャップ解放のうちの１つを実施するようにマスタノードに要求すること、または、
二次ノードによって、マスタノードによって送信された第２のインターフェースメッセージを受信することであって、前記第２のインターフェースメッセージは、ギャップ構成更新、維持、または解放のうちの１つを実施するように二次ノード側に通知するためのインジケーションを搬送する、こと
を含み、
ユーザ機器（ＵＥ）が、前記マスタノードおよび前記二次ノードに同時に接続されている、方法。
【請求項２３】
前記インジケーションは、前記第２のインターフェースメッセージ内の明示的情報要素を通して示すこと、または前記第２のインターフェースメッセージ内で搬送される無線リソース制御（ＲＲＣ）ノード間メッセージ内の明示的情報要素を通して示すことのうちの少なくとも１つを含む、請求項２２に記載の方法。
【請求項２４】
測定ギャップ構成方法であって、
マスタノードによって、二次ノードのインジケーション情報を入手することと、
前記マスタノードによって、前記インジケーション情報を通して、ギャップパターンの随意のセットを判定することと
を含み、
ユーザ機器（ＵＥ）が、前記マスタノードおよび前記二次ノードに同時に接続されている、方法。
【請求項２５】
前記インジケーション情報のコンテンツは、前記二次ノードがロングタームエボリューション（ＬＴＥ）周波数間測定を用いて構成されるかどうか、または前記二次ノードがＬＴＥ周波数間測定を削除するかどうかのうちの少なくとも１つを含む、請求項２４に記載の方法。
【請求項２６】
前記インジケーション情報のインジケーション様式は、第２のインターフェースメッセージを通して、前記二次ノードによって構成されるＬＴＥ測定周波数リストを転送すること、または第２のインターフェースメッセージ内の情報要素を通して、前記二次ノードがＬＴＥ周波数間測定を用いて構成されるかどうかを示すことのうちの少なくとも１つを含む、請求項２４に記載の方法。
【請求項２７】
前記ＬＴＥ測定周波数リストは、新しく追加された周波数リストまたは削除された周波数リストのうちの１つを含む、請求項２６に記載の方法。
【請求項２８】
測定ギャップ構成方法であって、
進化型ユニバーサル地上無線アクセスネットワーク新無線デュアルコネクティビティ（ＥＮ−ＤＣ）のシナリオでは、マスタノードによって、第３のインターフェースを通して、基地局側のギャップ構成能力について二次ノードと相互作用すること、または新無線新無線デュアルコネクティビティ（ＮＮ−ＤＣ）のシナリオでは、マスタノードによって、第２のインターフェースを通して、基地局側のギャップ構成能力について二次ノードと相互作用することを含む、方法。
【請求項２９】
前記ギャップ構成能力は、前記基地局側が周波数範囲（ＦＲ）あたりのギャップをサポートするかどうかを含む、請求項２８に記載の方法。
【請求項３０】
前記ギャップ構成能力の伝送様式は、
前記第３のインターフェースまたは前記第２のインターフェースのうちの１つのセル専用共通シグナリングを通して転送すること、または、
前記第３のインターフェースまたは前記第２のインターフェースのうちの１つのＵＥ専用特有シグナリングを通して転送すること
のうちの１つを含む、請求項２８に記載の方法。
【請求項３１】
基地局に適用され、第１のネットワーク要素と、第２のネットワーク要素とを備える、測定ギャップ構成デバイスであって、
前記第１のネットワーク要素は、測定標的の周波数情報を判定し、
前記第１のネットワーク要素は、第１のインターフェースシグナリングを通して、前記周波数情報を前記第２のネットワーク要素に通知する、測定ギャップ構成デバイス。
【請求項３２】
基地局に適用され、第１のネットワーク要素と、少なくとも１つの第２のネットワーク要素とを備える、測定ギャップ構成デバイスであって、
前記第１のネットワーク要素は、前記少なくとも１つの第２のネットワーク要素に関する物理リソース構成情報に従って、ギャップパターン構成情報の少なくとも１つのセットを計算し、前記第１のネットワーク要素は、前記ギャップパターン構成情報の少なくとも１つのセットを対応する第２のネットワーク要素に送信し、
前記第１のネットワーク要素は、前記少なくとも１つの第２のネットワーク要素に対応する、測定ギャップ構成デバイス。
【請求項３３】
基地局に適用され、第１のネットワーク要素と、少なくとも１つの第２のネットワーク要素とを備える、測定ギャップ構成デバイスであって、
前記少なくとも１つの第２のネットワーク要素は、ギャップパターンを構成し、
前記少なくとも１つの第２のネットワーク要素は、前記ギャップパターンを前記第１のネットワーク要素に通知する、測定ギャップ構成デバイス。
【請求項３４】
ユーザ機器（ＵＥ）に適用される、測定ギャップ構成デバイスであって、
エアインターフェース再構成メッセージを受信するように構成された受信モジュールと、
前記エアインターフェース再構成情報が前記ＵＥのギャップ要件の変更を引き起こし、前記ＵＥが無線リソース制御（ＲＲＣ）再構成完了メッセージに応答する場合では、マスタノードのＲＲＣメッセージの情報要素を通して、前記ギャップ要件の変更をネットワーク側に通知するように構成されている、通知モジュールと
を備え、
前記ＵＥは、前記マスタノードおよび二次ノードに同時に接続され、前記マスタノードは、進化型ＮｏｄｅＢ（ｅＮＢ）または次世代ＮｏｄｅＢ（ｇＮＢ）であり、前記二次ノードは、ｇＮＢまたはｅＮＢである、測定ギャップ構成デバイス。
【請求項３５】
二次ノードに適用される、測定ギャップ構成デバイスであって、
第２のインターフェースメッセージ内のインジケーションを搬送することによって、ギャップ構成更新またはギャップ解放のうちの１つを実施するようにマスタノードに要求すること、または前記二次ノードによって、マスタノードによって送信された第２のインターフェースメッセージを受信することを行うように構成されている、要求モジュールを備え、
前記第２のインターフェースメッセージは、ギャップ構成更新、維持、または解放のうちの１つを実施するように二次ノード側に通知するためのインジケーションを搬送し、
ユーザ機器（ＵＥ）が、前記マスタノードおよび前記二次ノードに同時に接続されている、測定ギャップ構成デバイス。
【請求項３６】
マスタノードに適用される、測定ギャップ構成デバイスであって、
二次ノードのインジケーション情報を入手するように構成された入手モジュールと、
前記インジケーション情報を通してギャップパターンの随意のセットを判定するように構成された判定モジュールと
を備え、
ユーザ機器（ＵＥ）が、前記マスタノードおよび前記二次ノードに同時に接続されている、測定ギャップ構成デバイス。
【請求項３７】
マスタノードに適用される、測定ギャップ構成デバイスであって、
進化型ユニバーサル地上無線アクセスネットワーク新無線デュアルコネクティビティ（ＥＮ−ＤＣ）のシナリオでは、第３のインターフェースを通して、基地局側のギャップ構成能力について二次ノードと相互作用するように構成されている、第１の相互作用モジュール、または、
新無線新無線デュアルコネクティビティ（ＮＮ−ＤＣ）のシナリオでは、第２のインターフェースを通して、基地局側のギャップ構成能力について二次ノードと相互作用するように構成されている、第２の相互作用モジュール
を備える、測定ギャップ構成デバイス。
【請求項３８】
コンピュータプログラムを記憶する記憶媒体であって、前記コンピュータプログラムは、実行されると、請求項１−３０のいずれか１項に記載の方法を実装するように構成されている、記憶媒体。
【請求項３９】
メモリと、プロセッサとを備える電子デバイスであって、前記メモリは、コンピュータプログラムを記憶するように構成され、前記プロセッサは、前記コンピュータプログラムを実行し、請求項１〜３０のいずれか１項に記載の方法を実施するように構成されている、電子デバイス。
【発明の詳細な説明】
【技術分野】
【０００１】
本開示は、通信の分野に関し、具体的には、測定ギャップ構成方法およびデバイス、記憶媒体、ならびに電子デバイスに関する。
【背景技術】
【０００２】
関連技術では、第５世代無線システム（５Ｇ）ネットワークアーキテクチャは、革新およびネットワーキング柔軟性を示し、５Ｇネットワークでは、無線アクセスネットワーク側上の基地局は、２つの基本的エンティティ、すなわち、集中ユニット（ＣＵ）および分散ユニット（ＤＵ）に分離される。集中ユニットを通して複数の分散ユニットを制御することは、クラウドアーキテクチャのベースバンド集中処理を実装し、ユーザの遠端に関して分散様式でサービスを提供し得る。ＣＵ−ＤＵ分離ネットワークアーキテクチャでは、一方では、多くのコアネットワークシグナリングオーバーヘッドが、節約され、他方では、スイッチング遅延が、低減され、新無線（ＮＲ）システムのモバイル性能が、強化されることができるように、遅延不感性ネットワーク機能が、集中ユニット（ＣＵ）内に構成され、遅延感受性ネットワーク機能が、分散ユニット（ＤＵ）内に設置される。ＣＵとＤＵとの間の伝送および接続が、Ｆ１インターフェースを通して実施される。
【０００３】
ロングタームエボリューション（ＬＴＥ）システムにおける基地局は、クロスシステムデュアルコネクティビティネットワークアーキテクチャが、形成されるように、５Ｇネットワーク内で留保される。そのようなネットワーキングモードは、無線リソースの利用率を改善し、システムスイッチング時間遅延を低減させ、ユーザおよびシステム性能を改良することができる。５Ｇネットワークにおけるデュアル接続モードは、以下のモードを含む。
【０００４】
マスタノードの基地局は、進化型ＮｏｄｅＢ（ｅＮＢ）であり、二次ノードの基地局は、次世代ＮｏｄｅＢ（ｇＮＢ）であり、両方の基地局は、ＬＴＥコアネットワーク、進化型パケットコア（ＥＰＣ）、すなわち、進化型ユニバーサル地上無線アクセスネットワーク（Ｅ−ＵＴＲＡＮ）、ＮＲデュアルコネクティビティ（ＥＮ−ＤＣ）に接続される。
【０００５】
マスタノードの基地局は、ｅＮＢであり、二次ノードの基地局は、ｇＮＢであり、両方の基地局は、ＮＲコアネットワーク、５Ｇコア（５ＧＣ）、すなわち、次世代無線アクセスネットワーク（ＮＧ−ＲＡＮ）Ｅ−ＵＴＲＡ、ＮＲデュアルコネクティビティ（ＮＧＥＮ−ＤＣ）に接続される。
【０００６】
マスタノードの基地局は、ｇＮＢであり、二次ノードの基地局は、ｅＮＢであり、両方の基地局は、ＮＲコアネットワーク５ＧＣ、すなわち、ＮＲ、Ｅ−ＵＴＲＡＮデュアルコネクティビティ（ＮＥ−ＤＣ）に接続される。
【０００７】
マスタノードおよび二次ノードの基地局は、ｇＮＢ、すなわち、ＮＲ、ＮＲデュアルコネクティビティ（ＮＮ−ＤＣ）である。
【０００８】
関連技術におけるＬＴＥシステムでは、ユーザ機器（ＵＥ）が、１つのみの受信機を有する場合、ＵＥは、同一の瞬間に１つのみの周波数において信号を受信することができる。周波数間システム間ハンドオーバーの前に、周波数間システム間測定が、最初に実施される必要がある。周波数間またはシステム間測定が、トリガされると、ｅＮｏｄｅＢが、測定ギャップ関連構成を配信し、ＵＥは、ｅＮｏｄｅＢの構成インジケーションに従って、測定ギャップを開始する。
【０００９】
しかしながら、５Ｇでは、ＣＵ−ＤＵネットワーキングアーキテクチャを含むマルチ接続シナリオ下で、ギャップパターンの関連パラメータの決定、マスタノードと二次ノードとの間のギャップ構成に関連する相互作用プロセス、および第１のネットワーク要素（ｇＮＢ−ＣＵ）と第２のネットワーク要素（ｇＮＢ−ＤＵ）との間のギャップ構成に関連する相互作用プロセス等、測定ギャップに関連する、関連する協調プロセスおよび詳細な構成プロセスは、まだ判定されていない。したがって、合理的な測定ギャップが、ネットワーク要素の間で効率的に構成されることができない。
【００１０】
関連技術における前述の問題に照らして、いかなる効果的なスキームも、まだ提案されていない。
【発明の概要】
【発明が解決しようとする課題】
【００１１】
本開示の実施形態は、測定ギャップ構成方法およびデバイス、記憶媒体、ならびに電子デバイスを提供する。
【課題を解決するための手段】
【００１２】
本開示のある実施形態によると、測定ギャップ構成方法が、提供される。本方法は、下記に説明されるステップ、第１のネットワーク要素が、測定標的の周波数情報を判定することと、第１のネットワーク要素が、第１のインターフェースシグナリングを通して、周波数情報を第２のネットワーク要素に通知することとを含み、第１のネットワーク要素および第２のネットワーク要素は、同一のノード上で構成される。
【００１３】
本開示のある実施形態によると、測定ギャップ構成方法が、提供される。本方法は、下記に説明されるステップ、第１のネットワーク要素が、１つ以上の第２のネットワーク要素に関する物理リソース構成情報に従って、測定ギャップパターン構成情報の１つ以上のセットを計算することと、第１のネットワーク要素が、ギャップパターン構成情報の１つ以上のセットを対応する第２のネットワーク要素に送信することとを含み、第１のネットワーク要素は、１つ以上の第２のネットワーク要素に対応し、第１のネットワーク要素および１つ以上の第２のネットワーク要素は、同一のノード上で構成される。
【００１４】
本開示のある実施形態によると、測定ギャップ構成方法が、提供される。本方法は、下記に説明されるステップ、第２のネットワーク要素が、ギャップパターンを構成することと、第２のネットワーク要素が、ギャップパターンを第１のネットワーク要素に通知することとを含み、第１のネットワーク要素は、１つ以上の第２のネットワーク要素に対応し、第１のネットワーク要素および複数の第２のネットワーク要素は、同一のノード上で構成される。
【００１５】
本開示のある実施形態によると、測定ギャップ構成方法が、提供される。本方法は、下記に説明されるステップ、ユーザ機器（ＵＥ）が、エアインターフェース再構成メッセージを受信することと、エアインターフェース再構成情報が、ＵＥのギャップ要件の変更を引き起こし、ＵＥが、無線リソース制御（ＲＲＣ）再構成完了メッセージに応答するとき、ＵＥが、マスタノードのＲＲＣメッセージの情報要素内で、ギャップ要件の変更をネットワーク側に通知することとを含み、ＵＥは、マスタノードおよび二次ノードに同時に接続され、マスタノードは、ｅＮＢまたｇＮＢであり、二次ノードは、ｇＮＢまたはｅＮＢである。
【００１６】
本開示のある実施形態によると、測定ギャップ構成方法が、提供される。本方法は、下記に説明されるステップ、二次ノードが、第２のインターフェースメッセージ内のインジケーションを搬送することによって、ギャップ構成更新またはギャップ解放のうちの１つを実施するようにマスタノードに要求すること、または二次ノードが、マスタノードによって送信された第２のインターフェースメッセージを受信することであって、第２のインターフェースメッセージは、ギャップ構成更新、維持、または解放のうちの１つを実施するように二次ノード側に通知するためのインジケーションを搬送する、ことを含み、ＵＥが、マスタノードおよび二次ノードに同時に接続される。
【００１７】
本開示のある実施形態によると、測定ギャップ構成方法が、提供される。本方法は、下記に説明されるステップ、マスタノードが、二次ノードの測定周波数構成についてのインジケーション情報を入手することと、マスタノードが、測定周波数構成についてのインジケーション情報を通して、ギャップパターンの随意のセットを判定することとを含み、ＵＥが、マスタノードおよび二次ノードに同時に接続される。
【００１８】
本開示のある実施形態によると、測定ギャップ構成方法が、提供される。本方法は、下記に説明されるステップ、４／５Ｇデュアル接続のシナリオでは、マスタノードが、第３または第２のインターフェースを通して、基地局側の測定ギャップ能力について二次ノードと相互作用すること、またはＮＮ−ＤＣのシナリオでは、マスタノードが、第２のインターフェースを通して、基地局側の測定ギャップ構成能力について二次ノードと相互作用することを含む。
【００１９】
本開示の別の実施形態によると、測定ギャップ構成デバイスが、提供される。本デバイスは、基地局に適用され、第１のネットワーク要素と、第２のネットワーク要素とを含み、第１のネットワーク要素は、測定標的の周波数情報を判定し、第１のネットワーク要素は、第１のインターフェースシグナリングを通して、周波数情報を第２のネットワーク要素に通知する。
【００２０】
本開示の別の実施形態によると、測定ギャップ構成デバイスが、提供される。本デバイスは、基地局に適用され、第１のネットワーク要素と、１つ以上の第２のネットワーク要素とを含み、第１のネットワーク要素は、１つ以上の第２のネットワーク要素に関する物理リソース構成情報に従って、ギャップパターン構成情報の１つ以上のセットを計算し、第１のネットワーク要素は、ギャップパターン構成情報の１つ以上のセットを対応する第２のネットワーク要素に送信し、第１のネットワーク要素は、１つ以上の第２のネットワーク要素に対応する。
【００２１】
本開示の別の実施形態によると、測定ギャップ構成デバイスが、提供される。本デバイスは、基地局に適用され、第１のネットワーク要素と、１つ以上の第２のネットワーク要素とを含み、１つ以上の第２のネットワーク要素は、ギャップパターンを構成し、１つ以上の第２のネットワーク要素は、ギャップパターンを第１のネットワーク要素に通知する。
【００２２】
本開示の別の実施形態によると、測定ギャップ構成デバイスが、提供される。本デバイスは、ユーザ機器（ＵＥ）に適用され、受信モジュールと、通知モジュールとを含み、受信モジュールは、エアインターフェース再構成メッセージを受信するように構成され、通知モジュールは、エアインターフェース再構成情報が、ＵＥのギャップ要件の変更を引き起こし、ＵＥが、ＲＲＣ再構成完了メッセージに応答するとき、マスタノードのＲＲＣメッセージの情報要素を通して、ギャップ要件の変更をネットワーク側に通知するように構成され、ＵＥは、マスタノードおよび二次ノードに同時に接続され、マスタノードは、ｅＮＢまたはｇＮＢであり、二次ノードは、ｇＮＢまたはｅＮＢである。
【００２３】
本開示の別の実施形態によると、測定ギャップ構成デバイスが、提供される。本デバイスは、二次ノードに適用され、第２のインターフェースメッセージ内のインジケーションを搬送することによって、ギャップ構成更新またはギャップ解放のうちの１つを実施するようにマスタノードに要求すること、または二次ノードによって、マスタノードによって送信された第２のインターフェースメッセージを受信することを行うように構成される、要求モジュールを含み、第２のインターフェースメッセージは、ギャップ構成更新、維持、または解放のうちの１つを実施するように二次ノード側に通知するためのインジケーションを搬送し、ＵＥが、マスタノードおよび二次ノードに同時に接続される。
【００２４】
本開示の別の実施形態によると、測定ギャップ構成デバイスが、提供される。本デバイスは、マスタノードに適用され、入手モジュールと、判定モジュールとを含み、入手モジュールは、二次ノードのインジケーション情報を入手するように構成され、判定モジュールは、インジケーション情報を通して、ギャップパターンの随意のセットを判定するように構成され、ＵＥが、マスタノードおよび二次ノードに同時に接続される。
【００２５】
本開示の別の実施形態によると、測定ギャップ構成デバイスが、提供される。本デバイスは、マスタノードに適用され、第１の相互作用モジュールまたは第２の相互作用モジュールを含み、第１の相互作用モジュールは、進化型ユニバーサル地上無線アクセスネットワーク新無線デュアルコネクティビティ（ＥＮ−ＤＣ）のシナリオでは、第３のインターフェースを通して、基地局側のギャップ構成能力について二次ノードと相互作用するように構成され、第２の相互作用モジュールは、新無線新無線デュアルコネクティビティ（ＮＮ−ＤＣ）のシナリオでは、第２のインターフェースを通して、基地局側のギャップ構成能力について二次ノードと相互作用するように構成される。
【００２６】
本開示のなおも別の実施形態によると、記憶媒体がさらに、提供される。記憶媒体は、コンピュータプログラムを記憶し、コンピュータプログラムは、実行されると、前述の方法実施形態のうちのいずれか１つにおけるステップを実装するように構成される。
【００２７】
本開示のなおも別の実施形態によると、電子デバイスがさらに、提供される。電子デバイスは、メモリと、プロセッサとを含む。メモリは、コンピュータプログラムを記憶し、プロセッサは、コンピュータプログラムを実行し、前述の方法実施形態のうちのいずれか１つにおけるステップを実施するように構成される。
【００２８】
本開示を通して、ＣＵ−ＤＵネットワーキングアーキテクチャにおける測定ギャップの関連する構成パラメータおよび構成プロセスが、規定される。測定ギャップを構成することができない関連技術における問題が、解決されることができる。
【００２９】
本明細書に説明される図面は、本開示のさらなる理解を提供するために使用され、本願の一部を形成する。本開示における例証的実施形態およびその説明は、本開示を解説するために使用され、不適切な様式で本開示を限定するために使用されない。
【図面の簡単な説明】
【００３０】
【図１】図１は、本開示のある実施形態による、ネットワークアーキテクチャ図である。
【図２】図２は、本開示のある実施形態による、測定ギャップ構成方法のフローチャートである。
【図３】図３は、本開示のある実施形態による、測定ギャップ構成デバイスのブロック図である。
【図４】図４は、本開示のある実施形態による、マスタノード側上にＦＲ２周波数測定を構成するフローチャートである。
【図５】図５は、本開示のある実施形態による、二次ノード側上にＦＲ２周波数測定を構成するフローチャートである。
【図６】図６は、本開示のある実施形態による、ＣＵがメッセージ要求を通してＤＵ上の物理リソース構成を入手するフローチャートである。
【図７】図７は、本開示のある実施形態による、ＤＵが物理リソース構成をアクティブに報告するフローチャートである。
【図８】図８は、本開示のある実施形態による、ＣＵが異なるギャップタイプに従ってギャップ構成を送信する概略図である。
【図９】図９は、本開示のある実施形態による、ＮＲ内のマルチ接続アーキテクチャ下のギャップパターン構成方法のフローチャートである。
【図１０】図１０は、本開示のある実施形態による、ギャップ要件が変化するときにＵＥがネットワーク側に通知するための方法のフローチャートである。
【図１１】図１１は、本開示のある実施形態による、二次ノードがギャップ構成を入手するように要求するフローチャートである。
【図１２】図１２は、本開示のある実施形態による、二次ノードがギャップ構成を削除するように要求するフローチャートである。
【図１３】図１３は、本開示のある実施形態による、マスタノードがインジケーションに従ってギャップパターンの随意のセットを判定するフローチャートである。
【図１４】図１４は、本開示のある実施形態による、セル共通シグナリングを通したギャップ構成能力についてのマスタノードと二次ノードとの間の相互作用のフローチャートである。
【図１５】図１５は、本開示のある実施形態による、ＵＥ専用シグナリングを通したギャップ構成能力についてのマスタノードと二次ノードとの間の相互作用のフローチャートである。
【発明を実施するための形態】
【００３１】
本開示は、実施形態と併せて図面を参照して、それ以降で詳細に説明されるであろう。矛盾しない場合、本明細書に説明される実施形態および実施形態における特徴が、相互に組み合わせられ得ることに留意されたい。
【００３２】
本開示の説明、請求項、および上記の図面における用語「第１」、「第２」、ならびに同等物等が、類似するオブジェクトを区別するために使用され、必ずしも特定の順序またはシーケンスを説明するために使用されないことに留意されたい。
【００３３】
本願の実施形態は、図１に示されるネットワークアーキテクチャ上で実行されてもよい。図１は、本開示のある実施形態による、ネットワークアーキテクチャ図である。ネットワークアーキテクチャは、マスタノードと、二次ノードと、ＵＥとを含む。マスタノードおよび二次ノードは、ネットワーク側上の基地局（すなわち、それぞれ、マスタ基地局および二次基地局）として理解されてもよい。基地局は、第１のネットワーク要素ＤＵと、第２のネットワーク要素ＣＵとを含む。ＤＵおよびＣＵの両方は、分離されたアーキテクチャを採用する。本実施形態では、第１のインターフェースが、Ｆ１インターフェースとして例証され、第２のインターフェースが、Ｘｎインターフェースとして例証され、第３のインターフェースが、Ｘ２インターフェースとして例証される。
【００３４】
実施形態１
本実施形態では、上記のネットワークアーキテクチャ上で実行される測定ギャップ構成方法が、提供される。図２は、本開示のある実施形態による、測定ギャップ構成方法のフローチャートである。図２に示されるように、本方法は、下記に説明されるステップを含む。
【００３５】
ステップＳ２０２において、第１のネットワーク要素が、測定標的の周波数情報を判定する。
【００３６】
ステップＳ２０４において、第１のネットワーク要素は、Ｆ１インターフェースシグナリングを通して、周波数情報を第２のネットワーク要素に通知する。
【００３７】
第１のネットワーク要素および第２のネットワーク要素は、同一のノード上で構成される。
【００３８】
上記のステップを通して、ＣＵ−ＤＵネットワーキングアーキテクチャにおける測定ギャップの関連する構成パラメータおよび構成プロセスが、規定され、測定ギャップを構成することができない関連技術における問題が、解決されることができる。
【００３９】
ある実施形態では、Ｆ１インターフェースシグナリングは、ＵＥコンテキスト設定要求またはＵＥコンテキスト修正要求のうちの少なくとも１つを含む。
【００４０】
ある実施形態では、周波数情報は、測定周波数リストセット、各測定周波数の同期信号ブロック（ＳＳＢ）測定タイミング構成（ＳＭＴＣ）情報、各測定周波数のチャネル状態情報基準信号（ＣＳＩ−ＲＳ）関連時間ドメイン構成情報、各測定周波数がＳＳＢ測定を開始するかどうかを示すためのインジケーション、または各測定周波数がＣＳＩ−ＲＳ測定を開始するかどうかを示すためのインジケーションのうちの少なくとも１つを含む。
【００４１】
ある実施形態では、第１のネットワーク要素が、Ｆ１インターフェースシグナリングを通して、周波数情報を第２のネットワーク要素に通知した後、本方法はさらに、以下のステップ：周波数情報が、測定周波数に対応するＳＭＴＣ構成またはＣＳＩ−ＲＳ構成を搬送しないとき、第２のネットワーク要素が、ネットワーク管理システムから各測定周波数のＳＭＴＣ情報および各測定周波数のＣＳＩ−ＲＳ時間ドメイン構成情報を入手することを含む。
【００４２】
実施形態２
本実施形態では、上記のネットワークアーキテクチャ上で実行される測定ギャップ構成方法が、提供される。別の測定ギャップ構成方法が、実施形態において提供され、本方法は、下記に説明されるステップを含む。
【００４３】
Ｓ１１において、第１のネットワーク要素は、１つ以上の第２のネットワーク要素に関する物理リソース構成情報に従って、測定ギャップパターン構成情報の１つ以上のセットを計算する。
【００４４】
Ｓ１２において、第１のネットワーク要素は、測定ギャップパターン構成情報の１つ以上のセットを対応する第２のネットワーク要素に送信する。
【００４５】
第１のネットワーク要素は、１つ以上の第２のネットワーク要素に対応し、第１のネットワーク要素および１つ以上の第２のネットワーク要素は、同一のノード上で構成される。
【００４６】
ある実施形態では、ステップＳ１１の前に、本方法はさらに、以下のステップ：第１のネットワーク要素が、以下の様式：第１のネットワーク要素が、要求メッセージを第２のネットワーク要素に送信する様式で物理リソース構成情報を入手すること、または第２のネットワーク要素が、物理リソース構成情報をアクティブ報告の様式で第１のネットワーク要素に送信することのうちの１つにおいて物理リソース構成情報を入手することを含む。
【００４７】
ある実施形態では、物理リソース構成情報は、限定ではないが、スケジューリング要求（ＳＲ）、サウンディング基準信号（ＳＲＳ）、または不連続受信（ＤＲＸ）のうちの少なくとも１つを含む。
【００４８】
ある実施形態では、測定ギャップパターン構成情報は、限定ではないが、測定ギャップ周期、測定ギャップ持続時間、測定ギャップオフセット、または測定ギャップタイプのうちの少なくとも１つを含む。
【００４９】
ある実施形態では、第１のネットワーク要素が測定ギャップパターン構成情報の１つ以上のセットを対応する第２のネットワーク要素に送信するステップは、以下のステップ：第１のネットワーク要素が、ギャップパターン構成情報の１つ以上のセットを同時に１つ以上の第２のネットワーク要素の全てに送信すること、または第１のネットワーク要素が、１つ以上の第２のネットワーク要素のそれぞれの上のサービングセルの実際の周波数構成に従って、ギャップパターン構成情報の１つ以上のセットを独立して配信することのうちの１つを含む。
【００５０】
ある実施形態では、複数の第１のネットワーク要素が、存在するとき、マスタノードの第１のネットワーク要素が、測定ギャップパターン構成情報の１つ以上のセットを二次ノードの第１のネットワーク要素に送信する、または二次ノードの第１のネットワーク要素が、二次ノードの第２のネットワーク要素上のサービングセルの実際の周波数構成に従って、ギャップパターン構成情報を独立して配信する。
【００５１】
実施形態３
本実施形態では、上記のネットワークアーキテクチャ上で実行される測定ギャップ構成方法が、提供される。別の測定ギャップ構成方法が、本実施形態において提供され、本方法は、下記に説明されるステップを含む。
【００５２】
Ｓ２１において、第２のネットワーク要素が、測定ギャップパターンを構成する。
【００５３】
Ｓ２２において、第２のネットワーク要素は、測定ギャップパターンを第１のネットワーク要素に通知する。
【００５４】
第１のネットワーク要素は、１つ以上の第２のネットワーク要素に対応し、第１のネットワーク要素および複数の第２のネットワーク要素は、同一のノード上で構成される。
【００５５】
ある実施形態では、第２のネットワーク要素が、ギャップパターンを第１のネットワーク要素に通知した後、本方法はさらに、以下のステップ：第１のネットワーク要素が、新しい第２のネットワーク要素を追加するとき、第１のネットワーク要素が、第１のネットワーク要素内にあったギャップパターン構成を、Ｆ１インターフェース設定メッセージを通して、新しい第２のネットワーク要素に送信することを含む。
【００５６】
ある実施形態では、第１のネットワーク要素が、Ｆ１インターフェース設定メッセージを通して、構成された測定ギャップパターン構成を新しい第２のネットワーク要素に送信した後、本方法はさらに、以下のステップ：新しい第２のネットワーク要素が、測定ギャップパターン構成が適切であるかどうかを表すための説明情報を第１のネットワーク要素にフィードバックすることを含む。測定ギャップパターン構成が、適切ではないとき、第１のネットワーク要素は、ギャップパターン構成計算を再実施する、またはオリジナルの第２のネットワーク要素は、ギャップパターンを再構成する。
【００５７】
ある実施形態では、測定ギャップパターンは、測定ギャップ周期、測定ギャップ持続時間、測定ギャップオフセット、または測定ギャップタイプのうちの少なくとも１つを含む。
【００５８】
実施形態４
本実施形態では、上記のネットワークアーキテクチャ上で実行される測定ギャップ構成方法が、提供される。別の測定ギャップ構成方法が、本実施形態において提供され、本方法は、下記に説明されるステップを含む。
【００５９】
Ｓ３１において、ユーザ機器（ＵＥ）が、エアインターフェース再構成メッセージを受信する。
【００６０】
Ｓ３２において、エアインターフェース再構成情報が、ＵＥの測定ギャップ要件の変更を引き起こし、ＵＥが、ＲＲＣ再構成完了メッセージに応答するとき、ＵＥは、マスタノードのＲＲＣメッセージの情報要素内で、測定ギャップ要件の変更をネットワーク側に通知する。ＵＥは、マスタノードおよび二次ノードに同時に接続され、ＮＲシステム内のアーキテクチャに二重に接続される、または４／５Ｇシステムの間のアーキテクチャに二重に接続されてもよい。マスタノードは、ｅＮＢまたはｇＮＢであり、二次ノードは、ｇＮＢまたはｅＮＢである。
【００６１】
ある実施形態では、エアインターフェース再構成メッセージは、二次ノードによって発生され、エアインターフェース再構成メッセージは、カプセル化様式でマスタノードのＲＲＣメッセージを通して、ＵＥに配信される。
【００６２】
ある実施形態では、ＲＲＣ再構成完了メッセージは、ＵＥからマスタノードに送信され、ＲＲＣ再構成完了メッセージは、カプセル化様式で搬送される。
【００６３】
ある実施形態では、ＲＲＣメッセージの情報要素は、以下の形態：測定ギャップが構成される必要があるかどうかを示すこと、それぞれ、周波数範囲（ＦＲ）１を伴うサービングセルが測定ギャップを必要とするかどうか、およびＦＲ２を伴うサービングセルがギャップを必要とするかどうかを示すこと、または現在のサービングセルの構成に関して、各周波数が測定ギャップを必要とするかどうかを示すことのうちの１つを含む。
【００６４】
ある実施形態では、ＲＲＣメッセージはさらに、ＵＥによって所望される測定ギャップパターンタイプを搬送する。
【００６５】
ある実施形態では、ＵＥが、外側層上の無線リソース制御（ＲＲＣ）応答メッセージの情報要素内で、ネットワーク側に通知した後、本方法はさらに、以下のステップ：ＵＥが、ネットワーク側によって送信された新しいギャップ構成を受信することを含み、ギャップ構成は、受信されたＲＲＣメッセージの情報要素に従って、ギャップを構成するネットワーク側によって取得される。
【００６６】
実施形態５
本実施形態では、上記のネットワークアーキテクチャ上で実行される測定ギャップ構成方法が、提供される。別の測定ギャップ構成方法が、本実施形態において提供され、本方法は、下記に説明されるステップを含む。
【００６７】
Ｓ１４において、二次ノードが、Ｘ２またはＸｎインターフェースメッセージ内のインジケーションを搬送することによって、測定ギャップ構成更新または測定ギャップ解放のうちの１つを実施するようにマスタノードに要求する一方、二次ノードが、マスタノードによって送信されたＸ２またはＸｎインターフェースメッセージを受信し、Ｘ２またはＸｎインターフェースメッセージは、測定ギャップ構成更新、維持、または解放のうちの１つを実施するように二次ノード側に通知するためのインジケーションを搬送し、ＵＥが、マスタノードおよび二次ノードに同時に接続される。
【００６８】
ある実施形態では、インジケーションは、Ｘｎメッセージ内の明示的情報要素を通して示すこと、もしくはＸ２またはＸｎメッセージ内で搬送されるＲＲＣノード間メッセージ内の明示的情報要素を通して示すことのうちの少なくとも１つを含む。
【００６９】
実施形態６
本実施形態では、上記のネットワークアーキテクチャ上で実行される測定ギャップ構成方法が、提供される。別の測定ギャップ構成方法が、本実施形態において提供され、本方法は、下記に説明されるステップを含む。
【００７０】
Ｓ５１において、マスタノードが、二次ノードのインジケーション情報を入手する。
【００７１】
Ｓ５２において、マスタノードは、インジケーション情報を通して、測定ギャップパターンの随意のセットを判定する。
【００７２】
ＵＥが、マスタノードおよび二次ノードに同時に接続される。
【００７３】
ある実施形態では、インジケーション情報のコンテンツは、二次ノードがロングタームエボリューション（ＬＴＥ）周波数間測定を用いて構成されるかどうか、または二次ノードがＬＴＥ周波数間測定を削除するかどうかのうちの少なくとも１つを含む。
【００７４】
ある実施形態では、インジケーション情報のインジケーション様式は、Ｘｎインターフェースメッセージを通して、二次ノードによって構成されるＬＴＥ測定周波数リストを転送すること、またはＸｎインターフェースメッセージ内の情報要素を通して、二次ノードがＬＴＥ周波数間測定を用いて構成されるかどうかを示すことのうちの少なくとも１つを含む。
【００７５】
ある実施形態では、ＬＴＥ測定周波数リストは、新しく追加または修正された周波数リストもしくは削除された周波数リストのうちの１つを含む。
【００７６】
実施形態７
本実施形態では、上記のネットワークアーキテクチャ上で実行される測定ギャップ構成方法が、提供される。別の測定ギャップ構成方法が、本実施形態において提供され、本方法は、下記に説明されるステップを含む。
【００７７】
Ｓ６１において、進化型ユニバーサル地上無線アクセスネットワーク新無線デュアルコネクティビティ（ＥＮ−ＤＣ）のシナリオでは、マスタノードが、Ｘ２インターフェースを通して、基地局側の測定ギャップ構成能力について二次ノードと相互作用する、または新無線新無線デュアルコネクティビティ（ＮＮ−ＤＣ）のシナリオでは、マスタノードが、Ｘｎインターフェースを通して、基地局側の測定ギャップ構成能力について二次ノードと相互作用する。
【００７８】
ある実施形態では、ギャップ構成能力は、基地局側がＦＲあたりのギャップ（本明細書では、ＦＲは、周波数範囲である）をサポートするかどうかを含む。
【００７９】
ある実施形態では、測定ギャップ構成能力の伝送様式は、Ｘ２インターフェースまたはＸｎインターフェースのセル専用共通シグナリングを通して転送すること、もしくはＸ２インターフェースまたはＸｎインターフェースのＵＥ専用特有シグナリングを通して転送することのうちの少なくとも１つを含む。
【００８０】
上記に言及される実装の説明から、実施形態における方法は、必要な汎用ハードウェアプラットフォームを加えたソフトウェアによって実装され得る、または、当然ながら、ハードウェアによって実装され得ることが、当業者に明白となるであろう。しかしながら、多くの場合では、前者は、代替実装である。本理解に基づいて、実質的に本開示によって提供されるスキーム、または関連技術に寄与する部分は、ソフトウェア製品の形態において具現化されてもよい。コンピュータソフトウェア製品は、記憶媒体（読取専用メモリ（ＲＯＭ）／ランダムアクセスメモリ（ＲＡＭ）、磁気ディスク、または光学ディスク等）内に記憶され、端末デバイス（モバイル電話、コンピュータ、サーバ、ネットワークデバイス、または同等物であり得る）が本開示の各実施形態による方法を実行することを可能にするためのいくつかの命令を含む。
【００８１】
実施形態８
本実施形態では、測定ギャップ構成デバイスがさらに、提供される。本デバイスは、上記に言及される実施形態および代替実装様式を実装するように構成される。説明されているものは、繰り返されないであろう。下記に使用されるように、用語「モジュール」は、所定の機能を実装することが可能である、ソフトウェア、ハードウェア、またはそれらの組み合わせであり得る。下記に説明される実施形態における装置は、ソフトウェアによって代替実装されるが、ハードウェアによる、またはソフトウェアおよびハードウェアの組み合わせによる実装もまた、可能性として考えられ、考察される。
【００８２】
図３は、本開示の本実施形態による、測定ギャップ構成デバイスのブロック図である。本デバイスは、基地局において適用され、図３に示されるように、本デバイスは、マスタノード側に適用されるが、本デバイスはまた、二次ノード側上に適用されてもよい。本デバイスは、第１のネットワーク要素と、第２のネットワーク要素とを含む。第１のネットワーク要素は、測定標的の周波数情報を判定し、第１のネットワーク要素は、Ｆ１インターフェースシグナリングを通して、周波数情報を第２のネットワーク要素に通知する。
【００８３】
本実施形態はさらに、別の測定ギャップ構成デバイスを提供する。本デバイスは、基地局に適用され、第１のネットワーク要素と、１つ以上の第２のネットワーク要素とを含む。第１のネットワーク要素は、１つ以上の第２のネットワーク要素に関する物理リソース構成情報に従って、測定ギャップパターン構成情報の１つ以上のセットを計算し、第１のネットワーク要素は、測定ギャップパターン構成情報の１つ以上のセットを対応する第２のネットワーク要素に送信し、第１のネットワーク要素は、１つ以上の第２のネットワーク要素に対応する。
【００８４】
本実施形態はさらに、別の測定ギャップ構成デバイスを提供する。本デバイスは、基地局に適用され、第１のネットワーク要素と、１つ以上の第２のネットワーク要素とを含む。１つ以上の第２のネットワーク要素は、ギャップパターンを構成し、１つ以上の第２のネットワーク要素は、ギャップパターンを第１のネットワーク要素に通知する。
【００８５】
本実施形態はさらに、別の測定ギャップ構成デバイスを提供する。本デバイスは、ユーザ機器（ＵＥ）に適用され、受信モジュールと、通知モジュールとを含み、受信モジュールは、エアインターフェース再構成メッセージを受信するように構成され、通知モジュールは、エアインターフェース再構成情報が、ＵＥのギャップ要件の変更を引き起こし、ＵＥが、ＲＲＣ再構成完了メッセージに応答するとき、マスタノードのＲＲＣメッセージの情報要素を通して、ギャップ要件の変更をネットワーク側に通知するように構成され、ＵＥは、マスタノードおよび二次ノードに同時に接続され、マスタノードは、ｅＮＢまたはｇＮＢであり、二次ノードは、ｇＮＢまたはｅＮＢである。
【００８６】
本実施形態はさらに、別の測定ギャップ構成デバイスを提供する。本デバイスは、二次ノードに適用され、Ｘｎインターフェースメッセージ内のインジケーションを搬送することによって、ギャップ構成更新またはギャップ解放のうちの１つを実施するようにマスタノードに要求すること、または二次ノードによって、マスタノードによって送信されたＸｎインターフェースメッセージを受信することを行うように構成される、要求モジュールを含み、Ｘｎインターフェースメッセージは、ギャップ構成更新、維持、または解放のうちの１つを実施するように二次ノード側に通知するためのインジケーションを搬送し、ＵＥが、マスタノードおよび二次ノードに同時に接続される。
【００８７】
本実施形態はさらに、別の測定ギャップ構成デバイスを提供する。本デバイスは、マスタノードに適用され、入手モジュールと、判定モジュールとを含み、入手モジュールは、二次ノードのインジケーション情報を入手するように構成され、判定モジュールは、インジケーション情報を通して、ギャップパターンの随意のセットを判定するように構成され、ＵＥが、マスタノードおよび二次ノードに同時に接続される。
【００８８】
本実施形態はさらに、別の測定ギャップ構成デバイスを提供する。本デバイスは、マスタノードに適用され、第１の相互作用モジュールまたは第２の相互作用モジュールを含み、第１の相互作用モジュールは、進化型ユニバーサル地上無線アクセスネットワーク新無線デュアルコネクティビティ（ＥＮ−ＤＣ）のシナリオでは、Ｘ２インターフェースを通して、基地局側のギャップ構成能力について二次ノードと相互作用するように構成され、第２の相互作用モジュールは、新無線新無線デュアルコネクティビティ（ＮＮ−ＤＣ）のシナリオでは、Ｘｎインターフェースを通して、基地局側のギャップ構成能力について二次ノードと相互作用するように構成される。
【００８９】
前述のモジュールが、ソフトウェアまたはハードウェアによって実装され得ることに留意されたい。ハードウェアによる実装は、必ずしもそうではないが、以下の様式：前述のモジュールが、同一のプロセッサ内に位置すること、または前述のモジュールが、それらの個別のプロセッサ内に任意の組み合わせで位置することで実施されてもよい。
【００９０】
実施形態９
本実施形態は、５ＧのＣＵ−ＤＵネットワーキングアーキテクチャのマルチ接続シナリオ下の測定ギャップの関連する構成パラメータおよび構成プロセスを提供する。
【００９１】
本実施形態はまた、異なるシナリオ下の測定ギャップ構成プロセスを例証するための複数の実施例を含む。
【００９２】
実施例１
ＥＮ−ＤＣシナリオでは、ＦＲあたりのギャップ（本明細書では、ＦＲあたりのギャップは、２つの異なる形態、すなわち、異なる周波数範囲に対応する、ＦＲ１ギャップおよびＦＲ２ギャップに対応し、ＦＲ１の周波数は、比較的に低い一方、ＦＲ２の周波数は、比較的に高い）におけるＦＲ２ギャップのみが、二次ノード（ＳＮ）（例えば、ＮＲ）側によって構成される必要がある。現在のギャップ協調フレームワークによると、ＳＮ側上のＦＲ２ギャップ構成に関する２種類のトリガシナリオが、存在する。
【００９３】
ＦＲ２周波数の測定は、マスタノード（ＭＮ）側によって構成される必要があり、本測定は、ＦＲ２ギャップからの支援を必要とし、本シナリオでは、ＭＮは、Ｘ２インターフェースを通してＦＲ２周波数（絶対無線周波数チャネル番号（ＮＲ−ＡＲＦＣＮ））リストをＳＮに送信するであろう。
【００９４】
ＦＲ２周波数の測定は、ＳＮ側によって構成される必要があり、本測定は、ＦＲ２ギャップからの支援を必要とし、本シナリオでは、ＳＮ自体が、ＦＲ２ギャップ構成を判定する。
【００９５】
ＳＮ側がＦＲ２ギャップ構成を実施するプロセスでは、現在のＦ１インターフェースの設計に従って、ＤＵは、ギャップ配分を実施し、ｇＮＢ−ＣＵは、ＤＵ計算の合理的なギャップ構成が、促進されるように、関連する測定周波数情報をｇＮＢ−ＤＵに通知する必要がある。
【００９６】
したがって、それぞれ、２つの異なるトリガシナリオに関して下記に説明される２つの異なるプロセスが、存在する。図４は、ある実施形態による、マスタノード側上にＦＲ２周波数測定を構成するフローチャートであり、本プロセスは、下記に説明されるステップを含む。
【００９７】
Ｓ１０１において、ＭＮは、ＳＮ追加要求／ＳＮ修正要求メッセージをＳＮに送信し、メッセージは、ＭＮ側によって構成されるＦＲ２測定周波数リストを含む。
【００９８】
Ｓ１０２において、ＳＮが、ＳＮ修正要求メッセージを受信した後、ＳｇＮＢ−ＣＵは、ＤＵが、ＦＲ２ギャップ構成を実施し得るように、ＵＥコンテキスト設定／修正要求メッセージを通して、関連するＦＲ２測定周波数情報をＳｇＮＢ−ＤＵに通知する。上記のＦＲ２測定周波数情報は、ＦＲ２測定周波数リストセット、各測定周波数のＳＭＴＣ構成、各測定周波数のＣＳＩ−ＲＳ関連時間ドメイン構成情報、各測定周波数がＳＳＢ測定を開始するかどうかを示すためのインジケーション、または各測定周波数がＣＳＩ−ＲＳ測定を開始するかどうかを示すためのインジケーションのうちの少なくとも１つを含む。
【００９９】
Ｓ１０３において、ＳｇＮＢ−ＤＵは、ＦＲ２ギャップ構成の計算結果をＵＥコンテキスト設定／修正応答メッセージを通してＳｇＮＢ−ＣＵに送信する。
【０１００】
Ｓ１０４において、ＳｇＮＢ−ＣＵは、ＦＲ２ギャップ構成をＳＮ側のＮＲ  ＲＲＣ再構成メッセージを通してＵＥに送信する、またはＳｇＮＢ−ＣＵは、ＦＲ２ギャップ構成を搬送するＮＲ  ＲＲＣメッセージをＭＮ側のＬＴＥ  ＲＲＣ再構成メッセージを通してＵＥに送信する。
【０１０１】
Ｓ１０２において、ＳＮ修正要求メッセージが、測定周波数リストセットのみを搬送するとき、ｇＮＢ−ＤＵは、ネットワーク管理システムから各測定周波数のＳＭＴＣ構成情報および／またはＣＳＩ−ＲＳ関連時間ドメイン構成情報を入手する必要がある。
【０１０２】
図５は、本実施形態による、二次ノード側上でＦＲ２周波数測定を構成するフローチャートであり、本プロセスは、下記に説明されるステップを含む。
【０１０３】
Ｓ１１１において、ｇＮＢ−ＣＵは、ＤＵが、ギャップ構成計算を実施し得るように、ＵＥコンテキスト設定／修正要求メッセージを通して、関連する測定周波数情報をＳｇＮＢ−ＤＵに通知する。上記の測定周波数情報は、測定周波数リストセットと、各測定周波数のＳＭＴＣ構成と、各測定周波数のＣＳＩ−ＲＳ関連時間ドメイン構成情報と、各測定周波数がＳＳＢ測定を開始するかどうかを示すためのインジケーションと、各測定周波数がＣＳＩ−ＲＳ測定を開始するかどうかを示すためのインジケーションとを含む。
【０１０４】
Ｓ１１２において、ＳｇＮＢ−ＤＵは、ギャップ構成の計算結果をＵＥコンテキスト設定／修正応答メッセージを通してＳｇＮＢ−ＣＵに送信する。
【０１０５】
Ｓ１１１において、ＳＮ修正要求メッセージが、測定周波数リストセットのみを搬送するとき、ｇＮＢ−ＤＵは、ネットワーク管理システムから各測定周波数のＳＭＴＣ構成情報および／またはＣＳＩ−ＲＳ関連時間ドメイン構成情報を入手する必要がある。
【０１０６】
実施例２
ＣＵ内ＤＵ間シナリオでは、基地局側によって配信された測定が、ギャップ支援を必要とするとき、ｇＮＢ−ＣＵが、各ｇＮＢ−ＤＵ上の物理リソース構成を入手し、各周波数の測定標的周波数およびＳＭＴＣ／ＣＳＩ−ＲＳ等の構成情報に基づいて、測定ギャップパターン構成を計算し、測定ギャップパターン構成をＦ１インターフェースメッセージを通して各ＤＵに配信する。
【０１０７】
図６は、本実施形態による、ＣＵがメッセージ要求を通してＤＵ上の物理リソース構成を入手するフローチャートであり、本プロセスは、下記に説明されるステップを含む。
【０１０８】
Ｓ２０１において、ＣＵは、物理リソース構成要求をＵＥコンテキスト修正要求メッセージを通してＤＵに送信する。
【０１０９】
Ｓ２０２において、ＤＵは、物理リソース構成をＵＥコンテキスト修正応答を通してＣＵに報告する。
【０１１０】
Ｓ２０３において、ＣＵは、周波数の測定標的周波数ならびにＳＭＴＣおよびＣＳＩ−ＲＳ等の構成情報と併せて、各ＤＵ上の物理リソース構成についての入手された情報に従って、測定ギャップパターン構成を計算し、測定ギャップパターン構成をＦ１インターフェースメッセージを通して各ＤＵに配信する。
【０１１１】
図７は、本実施形態による、ＤＵが物理リソース構成をアクティブに報告するフローチャートであり、本プロセスは、下記に説明されるステップを含む。
【０１１２】
Ｓ２１１において、ＤＵは、物理リソース構成要求をＵＥコンテキスト修正要求メッセージを通してＣＵに報告する。
【０１１３】
Ｓ２１２において、ＣＵは、周波数の測定標的周波数ならびにＳＭＴＣおよび／またはＣＳＩ−ＲＳ等の構成情報と併せて、各ＤＵ上の物理リソース構成についての入手された情報に従って、測定ギャップパターン構成を計算し、測定ギャップパターン構成をＵＥコンテキスト修正確認メッセージを通して各ＤＵに配信する。
【０１１４】
上記の２つの場合に関して、測定ギャップタイプが、ＵＥあたりのギャップ（シナリオ１）である場合、ＣＵは、同一の１つのギャップ構成を各ＤＵに送信する必要があり、ギャップタイプが、ＦＲあたりのギャップ（シナリオ２）であり、ＤＵ１上にＦＲ１のサービングセルのみが、存在し、ＤＵ２上にＦＲ２のサービングセルのみが、存在する場合、ＣＵは、ＦＲ１ギャップをＤＵ１に送信し、ＦＲ２ギャップをＤＵ２に送信する。測定ギャップタイプが、ＦＲあたりのギャップ（シナリオ３）である場合、ＣＵは、ＦＲ１ギャップおよびＦＲ２ギャップを同時に各ＤＵに送信する。図８は、本実施形態において、ＣＵが異なるギャップタイプに従ってギャップ構成を送信する概略図である。本実施形態におけるＵＥあたりのギャップおよびＦＲあたりのギャップに関して、ＵＥあたりは、単純であり、ネットワーク側は、１つのギャップを構成するだけでよく、本ギャップの間、全てのサービングセルは、ＵＥをスケジューリングすることができず、ＵＥは、本時間周期の間にＬＴＥ／ＮＲ低周波数／ＮＲ高周波数を測定する。ＦＲあたりに関して、ネットワーク側は、２つのギャップを構成する必要があり、一方は、ＬＴＥ／ＦＲ１ギャップと呼ばれる。本ＬＴＥ／ＦＲ１ギャップの間、ＬＴＥサービングセルまたはＮＲ低周波数（ＦＲ１）において動作するサービングセルのいずれも、ＵＥをスケジューリングし得ず、ＵＥは、本時間周期の間にＬＴＥ周波数およびＮＲ低周波数を測定する。他方のギャップは、ＦＲ２ギャップと呼ばれ、本ＦＲ２ギャップの間、ＮＲ高周波数（ＦＲ２）のサービングセルは、ＵＥをスケジューリングすることができず、ＵＥは、本時間周期の間にＮＲ高周波数近隣セルを測定する。
【０１１５】
実施例３
単一のＤＵ下で、ＵＥは、測定ギャップ構成をすでに構成しており、新しいＤＵが、追加され、単一のＤＵが、ＤＵ間ＤＣになるとき、測定ギャップ能力が、変更されない場合、ＣＵは、ＣＵ内にあった測定ギャップ構成を標的の新しいＤＵに通知してもよい。
【０１１６】
標的の新しいＤＵが、ギャップパターン構成に適合できない場合、例えば、標的ＤＵが、本測定ギャップパターン構成においていかなる他の随意の物理リソース構成も有していない場合、新しいＤＵは、インジケーションをＣＵにフィードバックする、または推奨される測定ギャップ構成をＣＵに提供してもよい。ＣＵまたはオリジナルＤＵは、測定ギャップ配分を再実施する。
【０１１７】
図９は、本実施形態における、ＮＲ内のマルチ接続アーキテクチャ下のギャップパターン構成方法のフローチャートであり、本プロセスは、下記に説明されるステップを含む。
【０１１８】
Ｓ３０１において、新しいＤＵが、追加されると、ＣＵは、Ｆ１設定要求メッセージを通して、ＣＵ内にあったギャップパターン構成情報を標的ＤＵ（ＤＵ２）に通知してもよい。
【０１１９】
Ｓ３０２において、ＤＵ２が、本構成を使用できない場合、ＤＵ２は、Ｆ１設定応答メッセージを通して、フィードバックインジケーションまたは推奨されるギャップパターン構成をＣＵに送信してもよい。
【０１２０】
Ｓ３０３において、ＤＵ２からのフィードバックが、受信された後、ＣＵは、ギャップパターン構成を再実施する、またはＦ１インターフェース情報を通して、ギャップパターン構成を再実施するようにＤＵ１に通知するであろう。
【０１２１】
実施例４
ＮＥ−ＤＣシナリオでは、二次ノード（ＬＴＥ）側が、測定を配信する、または二次ノード側が、二次セル構成を修正するとき、ＬＴＥのＲＲＣ再構成メッセージが、ＮＲ  ＲＲＣメッセージ内で搬送され、次いで、ＵＥに配信され、ＮＲ  ＲＲＣ再構成完了メッセージ内で搬送されるＵＥによって応答されるＬＴＥ再構成完了メッセージが、マスタノードに送信され、ＮＲ  ＲＲＣメッセージの情報要素が、上記の測定ギャップ要件インジケーションを搬送する。本インジケーションを受信した後、マスタノードはさらに、測定ギャップ構成を発生させ、測定ギャップ構成をＵＥに配信し、同時に、測定ギャップ構成をＸｎインターフェースを通してＳＮに送信する。
【０１２２】
図１０は、本実施形態における、ギャップ要件が変化するときにＵＥがネットワーク側に通知するための方法のフローチャートであり、本プロセスは、下記に説明されるステップを含む。
【０１２３】
Ｓ４０１〜Ｓ４０２において、二次ノード側が、測定を配信する、または二次ノード構成を修正するとき、ＬＴＥのＲＲＣ接続再構成メッセージが、ＮＲ  ＲＲＣメッセージ内で搬送され、次いで、ＵＥに送信される。
【０１２４】
Ｓ４０３において、ＵＥによって応答されるＬＴＥ再構成完了メッセージが、ＮＲ  ＲＲＣ再構成完了メッセージ内で搬送され、マスタノードに送信され、ＮＲ  ＲＲＣ再構成完了メッセージは、ギャップ要件インジケーションを搬送する。
【０１２５】
Ｓ４０４において、命令を受信した後、マスタノードはさらに、ギャップ構成を発生させ、ギャップ構成をＵＥに配信し、同時に、ギャップ構成をＸｎインターフェースを通して二次ノード側に送信する。
【０１２６】
実施例５
シナリオ１：ＮＥ−ＤＣシナリオでは、図１１は、本実施形態における、二次ノードがギャップ構成を入手するように要求するフローチャートである。本プロセスは、下記に説明されるステップを含む。
【０１２７】
Ｓ５０１において、二次ノード側は、ＬＴＥ周波数間測定を配信するように判定する。
【０１２８】
Ｓ５０２において、マスタノードは、ＳＮ修正要求メッセージを通してギャップパターン構成を要求する。
【０１２９】
Ｓ５０３において、マスタノードは、ギャップ構成を実施し、ギャップ構成情報をＳＮ修正確認メッセージを通して二次ノード側に送信する。
【０１３０】
シナリオ２：ＮＥ−ＤＣシナリオでは、図１２は、本実施形態における、二次ノードがギャップ構成を削除するように要求するフローチャートである。本プロセスは、下記に説明されるステップを含む。
【０１３１】
Ｓ５１１において、二次ノード側は、ＬＴＥ周波数間測定を解放する必要があり、ギャップ構成を必要としない。
【０１３２】
Ｓ５１２において、二次ノードは、ＳＮ修正要求メッセージを通してギャップ構成を要求する。
【０１３３】
Ｓ５１３において、マスタノードは、マスタノード側上の測定がギャップ構成を必要とするかどうかを判定し、該当しない場合、エアインターフェース再構成コマンドを通してギャップ構成を削除する。
【０１３４】
Ｓ５１４において、マスタノードは、ＳＮ修正確認メッセージを通してギャップ構成が解放されることを二次ノード側に通知する。
【０１３５】
実施例６
ＮＥ−ＤＣのアーキテクチャ下で、マスタノード側によって構成されるＵＥあたりのギャップまたはＦＲあたりのＦＲ１ギャップに関して、現在のＵＥがＬＴＥ周波数間の測定オブジェクトを有するかどうかが、ＭＮ側上のギャップパターンの随意のセットに影響を及ぼし得る。シナリオでは、マスタノード側および二次ノード側の両方は、ＬＴＥ周波数間測定を配信してもよい。したがって、二次ノードが、インジケーション様式で、二次ノード自体がＬＴＥ周波数間測定を配信したかどうかをマスタノードに通知することが、要求される。
【０１３６】
図１３は、本実施形態における、マスタノードがインジケーションに従ってギャップパターンの随意のセットを判定するフローチャートであり、本プロセスは、下記に説明されるステップを含む。
【０１３７】
Ｓ６０１において、二次ノードは、ＳＮ修正要求メッセージをマスタノードに送信し、二次ノード側がＬＴＥ周波数間測定を配信または検出するかをマスタノードに通知する。ＳＮ側がＬＴＥ周波数間測定を配信または検出するかは、ＳＮ修正要求シグナリング内の明示的情報要素を通して、またはＳＮ修正要求シグナリング内で搬送されるＲＲＣノード間メッセージ内の明示的情報要素を通して示されてもよい。
【０１３８】
Ｓ６０２において、マスタノードは、取得されたインジケーションを通して測定ギャップパターンの随意のセットを判定する。
【０１３９】
実施例７
ＥＮ−ＤＣまたはＮＮ−ＤＣシナリオでは、マスタノードおよび二次ノードは、Ｘ２／Ｘｎインターフェース上のセル共通シグナリングを通して、測定ギャップ構成能力についての相互作用を実施する。
【０１４０】
図１４は、本実施形態における、セル共通シグナリングを通したギャップ構成能力についてのマスタノードと二次ノードとの間の相互作用のフローチャートであり、本プロセスは、下記に説明されるステップを含む。
【０１４１】
Ｓ７０１において、マスタノードは、Ｘ２／Ｘｎ設定要求メッセージを通して、二次ノードの能力サポートインジケーションを入手する。
【０１４２】
Ｓ７０２において、二次ノードは、Ｘ２／Ｘｎ設定応答メッセージを通して、二次ノードがＦＲあたりのギャップ（ＦＲ２ギャップ構成およびＦＲあたりのスケジューリングサポートを含む）をサポートするかどうかを判定する。
【０１４３】
Ｓ７０３において、能力サポートインジケーションを受信した後、マスタノードは、条件に従って、ＵＥに関するＦＲあたりのギャップまたはＵＥあたりのギャップを構成するように判定してもよい。
【０１４４】
ＥＮ−ＤＣまたはＮＮ−ＤＣシナリオでは、マスタノードおよび二次ノードは、Ｘ２／Ｘｎインターフェース上のＵＥ専用シグナリングを通して、ギャップ構成能力についての相互作用を実施する。
【０１４５】
図１５は、本実施形態における、ＵＥ専用シグナリングを通したギャップ構成能力についてのマスタノードと二次ノードとの間の相互作用のフローチャートであり、本プロセスは、下記に説明されるステップを含む。
【０１４６】
Ｓ７１１において、マスタノードは、ＳｇＮＢ追加要求メッセージを通して、二次ノードの能力サポートインジケーションを入手する。
【０１４７】
Ｓ７０２において、二次ノードは、ＳｇＮＢ追加要求肯定応答メッセージを通して、二次ノードがＦＲあたりのギャップ（ＦＲ２ギャップ構成およびＦＲあたりのスケジューリングサポートを含む）をサポートするかどうかをマスタノードに通知する。
【０１４８】
Ｓ７１３において、能力サポートインジケーションを受信した後、マスタノードは、二次ノードがＦＲあたりのギャップをサポートするかどうかに従って、ＵＥに関するＦＲあたりのギャップまたはＵＥあたりのギャップを構成するように判定してもよい。
【０１４９】
実施形態１０
本開示のある実施形態はさらに、記憶媒体を提供する。記憶媒体は、コンピュータプログラムを記憶する。コンピュータプログラムが、実行されると、前述の方法実施形態のうちのいずれか１つにおけるステップが、実施される。
【０１５０】
本実施形態では、上記の記憶媒体は、下記に説明されるステップを実施するためのコンピュータプログラムを記憶するように構成されてもよい。
【０１５１】
Ｓ１において、第１のネットワーク要素が、測定標的の周波数情報を判定する。
【０１５２】
Ｓ２において、第１のネットワーク要素は、Ｆ１インターフェースシグナリングを通して、周波数情報を第２のネットワーク要素に通知する。
【０１５３】
ある実施形態において、本実施形態では、上記に言及される記憶媒体は、限定ではないが、Ｕディスク、読取専用メモリ（ＲＯＭ）、ランダムアクセスメモリ（ＲＡＭ）、モバイルハードディスク、磁気ディスク、光学ディスク、またはコンピュータプログラムを記憶することが可能な別の媒体を含んでもよい。
【０１５４】
本開示のある実施形態はさらに、電子デバイスを提供する。電子デバイスは、メモリと、プロセッサとを含む。メモリは、コンピュータプログラムを記憶する。プロセッサは、コンピュータプログラムを実行し、前述の方法実施形態のうちのいずれか１つにおけるステップを実施するように構成される。
【０１５５】
ある実施形態では、上記に説明される電子デバイスはさらに、伝送装置と、入力／出力装置とを含んでもよく、伝送装置および入力／出力装置の両方は、上記に説明されるプロセッサに接続される。
【０１５６】
本実施形態では、上記に言及されるプロセッサは、コンピュータプログラムを通して下記に説明されるステップを実施するように構成されてもよい。
【０１５７】
Ｓ１において、第１のネットワーク要素が、測定標的の周波数情報を判定する。
【０１５８】
Ｓ２において、第１のネットワーク要素は、Ｆ１インターフェースシグナリングを通して、周波数情報を第２のネットワーク要素に通知する。
【０１５９】
ある実施形態では、本実施形態における実施例の参照は、前述の実施形態および代替実装において説明される実施例に行われてもよく、実施例は、本実施形態において繰り返されないであろう。
【０１６０】
明白なこととして、本開示のモジュールまたはステップは、少なくとも１つの一般的なコンピューティングデバイスによって実装され得、単一のコンピューティングデバイス上に集中される、または複数のコンピューティングデバイスによって形成されるネットワーク内に分散され得ることが、当業者によって理解されるものである。ある実施形態では、これらのモジュールまたはステップは、少なくとも１つのコンピューティングデバイスによって実行可能なプログラムコードによって実装されてもよい。したがって、これらのモジュールまたはステップは、記憶媒体内に記憶され、少なくとも１つのコンピューティングデバイスによって実行されてもよい。さらに、ある場合には、例証または説明されるステップは、本明細書に説明されるシーケンスと異なるシーケンスにおいて実行されてもよい。代替として、これらのモジュールまたはステップはそれぞれ、集積回路モジュールの中に作製されることによって実装されてもよい、もしくはこれらのモジュールまたはステップのうちの複数のものが、単一の集積回路モジュールの中に作製されることによって実装されてもよい。このように、本開示は、ハードウェアおよびソフトウェアの任意の具体的組み合わせに限定されない。
【０１６１】
上記は、本開示の代替実施形態にすぎず、本開示を限定することを意図しておらず、当業者にとって、本開示は、種々の修正および変形例を有し得る。本開示の原理内の任意の修正、同等の代用、改良、および同等物が、本開示の範囲内に該当するものとする。
【図１】
2021521691.tif 000003
【図２】
2021521691.tif 000004
【図３】
2021521691.tif 000005
【図４】
2021521691.tif 000006
【図５】
2021521691.tif 000007
【図６】
2021521691.tif 000008
【図７】
2021521691.tif 000009
【図８】
2021521691.tif 000010
【図９】
2021521691.tif 000011
【図１０】
2021521691.tif 000012
【図１１】
2021521691.tif 000013
【図１２】
2021521691.tif 000014
【図１３】
2021521691.tif 000015
【図１４】
2021521691.tif 000016
【図１５】
2021521691.tif 000017
【手続補正書】
【提出日】令和3年2月9日(2021.2.9)
【手続補正１】
【補正対象書類名】特許請求の範囲
【補正対象項目名】全文
【補正方法】変更
【補正の内容】
【特許請求の範囲】
【請求項１】
測定ギャップ構成方法であって、
第１のネットワーク要素によって、インターフェース上の第１のシグナリングを通して、周波数情報を第２のネットワーク要素に通知することであって、前記周波数情報は、ギャップ構成を実施するために前記第２のネットワーク要素に関するものである、ことと、
前記第１のネットワーク要素によって前記第２のネットワーク要素から前記インターフェース上の第２のシグナリングを受信することであって、前記第２のシグナリングは、前記ギャップ構成を含む、ことと
を含む、方法。
【請求項２】
前記第１のシグナリングは、ユーザ機器（ＵＥ）コンテキスト設定要求、またはＵＥコンテキスト修正要求のうちの少なくとも１つを含む、請求項１に記載の方法。
【請求項３】
前記周波数情報は、測定周波数リストセット、または各測定周波数の同期信号ブロック測定タイミング構成（ＳＭＴＣ）情報のうちの少なくとも１つを含む、請求項１に記載の方法。
【請求項４】
前記第１のネットワーク要素によって第３のネットワーク要素から測定周波数リストセットを受信することをさらに含む、請求項１に記載の方法。
【請求項５】
前記第１のネットワーク要素は、二次ノードの一部であり、前記第３のネットワーク要素は、デュアルコネクティビティネットワークにおいてマスタノードである、請求項４に記載の方法。
【請求項６】
前記第１のネットワーク要素は、集中ユニットを含み、前記第２のネットワーク要素は、分散ユニットを含む、請求項１に記載の方法。
【請求項７】
測定ギャップ構成方法であって、
第２のネットワーク要素によって、インターフェース上の第２のシグナリングを第１のネットワーク要素に伝送することを含み、
前記第２のシグナリングは、ギャップ構成を含み、前記ギャップ構成は、前記第１のネットワーク要素によって前記インターフェース上の第１のシグナリングで通知される周波数情報に基づいて実施される、方法。
【請求項８】
前記第１のシグナリングは、ユーザ機器（ＵＥ）コンテキスト設定要求、またはＵＥコンテキスト修正要求のうちの少なくとも１つを含む、請求項７に記載の方法。
【請求項９】
前記周波数情報は、測定周波数リストセット、または各測定周波数の同期信号ブロック測定タイミング構成（ＳＭＴＣ）情報のうちの少なくとも１つを含む、請求項７に記載の方法。
【請求項１０】
前記第１のネットワーク要素は、集中ユニットを含み、前記第２のネットワーク要素は、分散ユニットを含む、請求項７に記載の方法。
【請求項１１】
メモリとプロセッサとを備えるデバイスであって、前記メモリは、コンピュータプログラムを記憶するように構成され、前記プロセッサは、前記コンピュータプログラムを実行することにより、
インターフェース上の第１のシグナリングを通して、周波数情報を第２のネットワーク要素に通知することであって、前記周波数情報は、ギャップ構成を実施するために前記第２のネットワーク要素に関するものである、ことと、
前記第２のネットワーク要素から前記インターフェース上の第２のシグナリングを受信することであって、前記第２のシグナリングは、前記ギャップ構成を含む、ことと
を行うように構成されている、デバイス。
【請求項１２】
前記第１のシグナリングは、ユーザ機器（ＵＥ）コンテキスト設定要求、またはＵＥコンテキスト修正要求のうちの少なくとも１つを含む、請求項１１に記載のデバイス。
【請求項１３】
前記周波数情報は、測定周波数リストセット、または各測定周波数の同期信号ブロック測定タイミング構成（ＳＭＴＣ）情報のうちの少なくとも１つを含む、請求項１１に記載のデバイス。
【請求項１４】
前記プロセッサは、前記コンピュータプログラムを実行することにより、第３のネットワーク要素から測定周波数リストセットを受信するようにさらに構成されている、請求項１１に記載のデバイス。
【請求項１５】
前記デバイスは、二次ノードの一部であり、前記第３のネットワーク要素は、デュアルコネクティビティネットワークにおいてマスタノードである、請求項１４に記載のデバイス。
【請求項１６】
前記デバイスは、集中ユニットを含み、前記第２のネットワーク要素は、分散ユニットを含む、請求項１１に記載のデバイス。
【請求項１７】
メモリとプロセッサとを備えるデバイスであって、前記メモリは、コンピュータプログラムを記憶するように構成され、前記プロセッサは、前記コンピュータプログラムを実行することにより、インターフェース上の第２のシグナリングを第１のネットワーク要素に伝送するように構成されており、
前記第２のシグナリングは、ギャップ構成を含み、前記ギャップ構成は、前記第１のネットワーク要素によって前記インターフェース上の第１のシグナリングで通知される周波数情報に基づいて実施される、デバイス。
【請求項１８】
前記第１のシグナリングは、ユーザ機器（ＵＥ）コンテキスト設定要求、またはＵＥコンテキスト修正要求のうちの少なくとも１つを含む、請求項１７に記載のデバイス。
【請求項１９】
前記周波数情報は、測定周波数リストセット、または各測定周波数の同期信号ブロック測定タイミング構成（ＳＭＴＣ）情報のうちの少なくとも１つを含む、請求項１７に記載のデバイス。
【請求項２０】
前記第１のネットワーク要素は、集中ユニットを含み、前記デバイスは、分散ユニットを含む、請求項１７に記載のデバイス。
【手続補正３】
【補正対象書類名】明細書
【補正対象項目名】００２８
【補正方法】変更
【補正の内容】
【００２８】
本開示を通して、ＣＵ−ＤＵネットワーキングアーキテクチャにおける測定ギャップの関連する構成パラメータおよび構成プロセスが、規定される。測定ギャップを構成することができない関連技術における問題が、解決されることができる。
本願明細書は、例えば、以下の項目も提供する。
（項目１）
測定ギャップ構成方法であって、
第１のネットワーク要素によって、測定標的の周波数情報を判定することと、
前記第１のネットワーク要素によって、第１のインターフェースシグナリングを通して、前記周波数情報を第２のネットワーク要素に通知することと
を含み、
前記第１のネットワーク要素および前記第２のネットワーク要素は、同一のノード上で構成されている、方法。
（項目２）
前記第１のインターフェースシグナリングは、ユーザ機器（ＵＥ）コンテキスト設定要求またはＵＥコンテキスト修正要求のうちの少なくとも１つを含む、項目１に記載の方法。
（項目３）
前記周波数情報は、測定周波数リストセット、各測定周波数の同期信号ブロック測定タイミング構成（ＳＭＴＣ）情報、または各測定周波数のチャネル状態情報基準信号（ＣＳＩ−ＲＳ）関連時間ドメイン構成情報のうちの少なくとも１つを含む、項目１に記載の方法。
（項目４）
前記第１のネットワーク要素によって、前記第１のインターフェースシグナリングを通して、前記周波数情報を前記第２のネットワーク要素に通知した後、前記方法はさらに、前記周波数情報が前記測定周波数リストセットを含む場合では、前記第２のネットワーク要素によってネットワーク管理システムから、各測定周波数の前記ＳＭＴＣ情報および各測定周波数の前記関連時間ドメイン構成情報を入手することを含む、項目３に記載の方法。
（項目５）
測定ギャップ構成方法であって、
第１のネットワーク要素によって、少なくとも１つの第２のネットワーク要素に関する物理リソース構成情報に従って、ギャップパターン構成情報の少なくとも１つのセットを計算することと、
前記第１のネットワーク要素によって、前記ギャップパターン構成情報の少なくとも１つのセットを対応する第２のネットワーク要素に送信することと
を含み、
前記第１のネットワーク要素は、前記少なくとも１つの第２のネットワーク要素に対応し、前記第１のネットワーク要素および前記少なくとも１つの第２のネットワーク要素は、同一のノード上で構成されている、方法。
（項目６）
前記第１のネットワーク要素によって、以下の様式：
前記第１のネットワーク要素によって、要求メッセージを前記少なくとも１つの第２のネットワーク要素に送信する様式で前記物理リソース構成情報を入手すること、または、
前記少なくとも１つの第２のネットワーク要素によって、前記物理リソース構成情報をアクティブ報告の様式で前記第１のネットワーク要素に送信すること
のうちの１つにおいて前記物理リソース構成情報を入手することをさらに含む、項目５に記載の方法。
（項目７）
前記物理リソース構成情報は、スケジューリング要求（ＳＲ）、サウンディング基準信号（ＳＲＳ）、または不連続受信（ＤＲＸ）のうちの少なくとも１つを含む、項目５に記載の方法。
（項目８）
前記ギャップパターン構成情報は、ギャップ周期、ギャップ持続時間、ギャップオフセット、またはギャップタイプのうちの少なくとも１つを含む、項目５に記載の方法。
（項目９）
前記第１のネットワーク要素によって、前記ギャップパターン構成情報の少なくとも１つのセットを前記対応する第２のネットワーク要素に送信することは、
前記第１のネットワーク要素によって、前記ギャップパターン構成情報のうちの少なくとも１つのセットを同時に前記少なくとも１つの第２のネットワーク要素の全てに送信すること、または、
前記第１のネットワーク要素によって、前記少なくとも１つの第２のネットワーク要素のそれぞれの上のサービングセルの実際の周波数構成に従って、前記ギャップパターン構成情報の少なくとも１つのセットを独立して配信すること
のうちの１つを含む、項目５に記載の方法。
（項目１０）
複数の前記第１のネットワーク要素が存在する場合では、マスタノードの第１のネットワーク要素が、前記ギャップパターン構成情報の少なくとも１つのセットを二次ノードの第１のネットワーク要素に送信する、または二次ノードの第１のネットワーク要素が、前記二次ノードの第２のネットワーク要素上のサービングセルの実際の周波数構成に従って、前記ギャップパターン構成情報の少なくとも１つのセットを独立して配信する、項目９に記載の方法。
（項目１１）
測定ギャップ構成方法であって、
第２のネットワーク要素によって、ギャップパターンを構成することと、
前記第２のネットワーク要素によって、前記ギャップパターンを第１のネットワーク要素に通知することと
を含み、
前記第１のネットワーク要素は、前記第２のネットワーク要素のうちの少なくとも１つに対応し、前記第１のネットワーク要素および複数の前記第２のネットワーク要素は、同一のノード上で構成されている、方法。
（項目１２）
前記第２のネットワーク要素によって、前記ギャップパターンを前記第１のネットワーク要素に通知した後、前記方法はさらに、前記第１のネットワーク要素が新しい第２のネットワーク要素を追加する場合では、前記第１のネットワーク要素によって、前記第１のネットワーク要素内にあったギャップパターン構成を、第１のインターフェース設定メッセージを通して、前記新しい第２のネットワーク要素に送信することを含む、項目１１に記載の方法。
（項目１３）
前記第１のネットワーク要素によって、前記第１のインターフェース設定メッセージを通して、前記使用されたギャップパターン構成を前記新しい第２のネットワーク要素に送信した後、前記方法はさらに、前記新しい第２のネットワーク要素によって、前記第２のネットワーク要素に、前記ギャップパターン構成が適切であるかどうかを表すための説明情報をフィードバックすることを含む、項目１２に記載の方法。
（項目１４）
前記説明情報が、前記ギャップパターン構成が適切ではないことを表す場合では、前記第１のネットワーク要素は、ギャップパターン構成計算を再実施する、または前記第２のネットワーク要素は、前記ギャップパターンを再構成する、項目１３に記載の方法。
（項目１５）
前記ギャップパターンは、ギャップ周期、ギャップ持続時間、ギャップオフセット、またはギャップタイプのうちの少なくとも１つを含む、項目１１に記載の方法。
（項目１６）
測定ギャップ構成方法であって、
ユーザ機器（ＵＥ）によって、エアインターフェース再構成メッセージを受信することと、
エアインターフェース再構成情報が前記ＵＥのギャップ要件の変更を引き起こし、前記ＵＥが無線リソース制御（ＲＲＣ）再構成完了メッセージに応答する場合では、前記ＵＥによって、マスタノードのＲＲＣメッセージの情報要素内で、前記ギャップ要件の変更をネットワーク側に通知することと
を含み、
前記ＵＥは、前記マスタノードおよび二次ノードに同時に接続され、前記マスタノードは、進化型ＮｏｄｅＢ（ｅＮＢ）または次世代ＮｏｄｅＢ（ｇＮＢ）であり、前記二次ノードは、ｇＮＢまたはｅＮＢである、方法。
（項目１７）
前記エアインターフェース再構成メッセージは、前記二次ノードによって発生され、前記エアインターフェース再構成メッセージは、カプセル化様式で前記マスタノードの前記ＲＲＣメッセージを通して、前記ＵＥに配信される、項目１６に記載の方法。
（項目１８）
前記ＲＲＣ再構成完了メッセージは、前記ＵＥから前記マスタノードに送信され、前記ＲＲＣ再構成完了メッセージは、カプセル化様式で搬送される、項目１６に記載の方法。
（項目１９）
前記ＲＲＣメッセージの情報要素は、以下の形態：
ギャップが構成される必要があるかどうかを示すこと、
それぞれ、周波数範囲（ＦＲ）１を伴うサービングセルがギャップを必要とするかどうか、およびＦＲ２を伴うサービングセルがギャップを必要とするかどうかを示すこと、または、
現在のサービングセルの構成に関して、各周波数がギャップを必要とするかどうかを示すこと
のうちの１つを含む、項目１６に記載の方法。
（項目２０）
前記ＲＲＣメッセージはさらに、所望のギャップパターンタイプを搬送する、項目１６に記載の方法。
（項目２１）
前記ＵＥによって、外側層上の前記ＲＲＣメッセージの情報要素内で、前記ネットワーク側に通知した後、前記方法はさらに、前記ＵＥによって、前記ネットワーク側によって送信された新しいギャップ構成を受信することを含み、前記ギャップ構成は、前記受信されたＲＲＣメッセージの情報要素に従って、ギャップの構成を実施する前記ネットワーク側によって取得される、項目１６に記載の方法。
（項目２２）
測定ギャップ構成方法であって、
二次ノードによって、第２のインターフェースメッセージ内のインジケーションを搬送することによって、ギャップ構成更新またはギャップ解放のうちの１つを実施するようにマスタノードに要求すること、または、
二次ノードによって、マスタノードによって送信された第２のインターフェースメッセージを受信することであって、前記第２のインターフェースメッセージは、ギャップ構成更新、維持、または解放のうちの１つを実施するように二次ノード側に通知するためのインジケーションを搬送する、こと
を含み、
ユーザ機器（ＵＥ）が、前記マスタノードおよび前記二次ノードに同時に接続されている、方法。
（項目２３）
前記インジケーションは、前記第２のインターフェースメッセージ内の明示的情報要素を通して示すこと、または前記第２のインターフェースメッセージ内で搬送される無線リソース制御（ＲＲＣ）ノード間メッセージ内の明示的情報要素を通して示すことのうちの少なくとも１つを含む、項目２２に記載の方法。
（項目２４）
測定ギャップ構成方法であって、
マスタノードによって、二次ノードのインジケーション情報を入手することと、
前記マスタノードによって、前記インジケーション情報を通して、ギャップパターンの随意のセットを判定することと
を含み、
ユーザ機器（ＵＥ）が、前記マスタノードおよび前記二次ノードに同時に接続されている、方法。
（項目２５）
前記インジケーション情報のコンテンツは、前記二次ノードがロングタームエボリューション（ＬＴＥ）周波数間測定を用いて構成されるかどうか、または前記二次ノードがＬＴＥ周波数間測定を削除するかどうかのうちの少なくとも１つを含む、項目２４に記載の方法。
（項目２６）
前記インジケーション情報のインジケーション様式は、第２のインターフェースメッセージを通して、前記二次ノードによって構成されるＬＴＥ測定周波数リストを転送すること、または第２のインターフェースメッセージ内の情報要素を通して、前記二次ノードがＬＴＥ周波数間測定を用いて構成されるかどうかを示すことのうちの少なくとも１つを含む、項目２４に記載の方法。
（項目２７）
前記ＬＴＥ測定周波数リストは、新しく追加された周波数リストまたは削除された周波数リストのうちの１つを含む、項目２６に記載の方法。
（項目２８）
測定ギャップ構成方法であって、
進化型ユニバーサル地上無線アクセスネットワーク新無線デュアルコネクティビティ（ＥＮ−ＤＣ）のシナリオでは、マスタノードによって、第３のインターフェースを通して、基地局側のギャップ構成能力について二次ノードと相互作用すること、または新無線新無線デュアルコネクティビティ（ＮＮ−ＤＣ）のシナリオでは、マスタノードによって、第２のインターフェースを通して、基地局側のギャップ構成能力について二次ノードと相互作用することを含む、方法。
（項目２９）
前記ギャップ構成能力は、前記基地局側が周波数範囲（ＦＲ）あたりのギャップをサポートするかどうかを含む、項目２８に記載の方法。
（項目３０）
前記ギャップ構成能力の伝送様式は、
前記第３のインターフェースまたは前記第２のインターフェースのうちの１つのセル専用共通シグナリングを通して転送すること、または、
前記第３のインターフェースまたは前記第２のインターフェースのうちの１つのＵＥ専用特有シグナリングを通して転送すること
のうちの１つを含む、項目２８に記載の方法。
（項目３１）
基地局に適用され、第１のネットワーク要素と、第２のネットワーク要素とを備える、測定ギャップ構成デバイスであって、
前記第１のネットワーク要素は、測定標的の周波数情報を判定し、
前記第１のネットワーク要素は、第１のインターフェースシグナリングを通して、前記周波数情報を前記第２のネットワーク要素に通知する、測定ギャップ構成デバイス。
（項目３２）
基地局に適用され、第１のネットワーク要素と、少なくとも１つの第２のネットワーク要素とを備える、測定ギャップ構成デバイスであって、
前記第１のネットワーク要素は、前記少なくとも１つの第２のネットワーク要素に関する物理リソース構成情報に従って、ギャップパターン構成情報の少なくとも１つのセットを計算し、前記第１のネットワーク要素は、前記ギャップパターン構成情報の少なくとも１つのセットを対応する第２のネットワーク要素に送信し、
前記第１のネットワーク要素は、前記少なくとも１つの第２のネットワーク要素に対応する、測定ギャップ構成デバイス。
（項目３３）
基地局に適用され、第１のネットワーク要素と、少なくとも１つの第２のネットワーク要素とを備える、測定ギャップ構成デバイスであって、
前記少なくとも１つの第２のネットワーク要素は、ギャップパターンを構成し、
前記少なくとも１つの第２のネットワーク要素は、前記ギャップパターンを前記第１のネットワーク要素に通知する、測定ギャップ構成デバイス。
（項目３４）
ユーザ機器（ＵＥ）に適用される、測定ギャップ構成デバイスであって、
エアインターフェース再構成メッセージを受信するように構成された受信モジュールと、
前記エアインターフェース再構成情報が前記ＵＥのギャップ要件の変更を引き起こし、前記ＵＥが無線リソース制御（ＲＲＣ）再構成完了メッセージに応答する場合では、マスタノードのＲＲＣメッセージの情報要素を通して、前記ギャップ要件の変更をネットワーク側に通知するように構成されている、通知モジュールと
を備え、
前記ＵＥは、前記マスタノードおよび二次ノードに同時に接続され、前記マスタノードは、進化型ＮｏｄｅＢ（ｅＮＢ）または次世代ＮｏｄｅＢ（ｇＮＢ）であり、前記二次ノードは、ｇＮＢまたはｅＮＢである、測定ギャップ構成デバイス。
（項目３５）
二次ノードに適用される、測定ギャップ構成デバイスであって、
第２のインターフェースメッセージ内のインジケーションを搬送することによって、ギャップ構成更新またはギャップ解放のうちの１つを実施するようにマスタノードに要求すること、または前記二次ノードによって、マスタノードによって送信された第２のインターフェースメッセージを受信することを行うように構成されている、要求モジュールを備え、
前記第２のインターフェースメッセージは、ギャップ構成更新、維持、または解放のうちの１つを実施するように二次ノード側に通知するためのインジケーションを搬送し、
ユーザ機器（ＵＥ）が、前記マスタノードおよび前記二次ノードに同時に接続されている、測定ギャップ構成デバイス。
（項目３６）
マスタノードに適用される、測定ギャップ構成デバイスであって、
二次ノードのインジケーション情報を入手するように構成された入手モジュールと、
前記インジケーション情報を通してギャップパターンの随意のセットを判定するように構成された判定モジュールと
を備え、
ユーザ機器（ＵＥ）が、前記マスタノードおよび前記二次ノードに同時に接続されている、測定ギャップ構成デバイス。
（項目３７）
マスタノードに適用される、測定ギャップ構成デバイスであって、
進化型ユニバーサル地上無線アクセスネットワーク新無線デュアルコネクティビティ（ＥＮ−ＤＣ）のシナリオでは、第３のインターフェースを通して、基地局側のギャップ構成能力について二次ノードと相互作用するように構成されている、第１の相互作用モジュール、または、
新無線新無線デュアルコネクティビティ（ＮＮ−ＤＣ）のシナリオでは、第２のインターフェースを通して、基地局側のギャップ構成能力について二次ノードと相互作用するように構成されている、第２の相互作用モジュール
を備える、測定ギャップ構成デバイス。
（項目３８）
コンピュータプログラムを記憶する記憶媒体であって、前記コンピュータプログラムは、実行されると、項目１−３０のいずれか１項に記載の方法を実装するように構成されている、記憶媒体。
（項目３９）
メモリと、プロセッサとを備える電子デバイスであって、前記メモリは、コンピュータプログラムを記憶するように構成され、前記プロセッサは、前記コンピュータプログラムを実行し、項目１〜３０のいずれか１項に記載の方法を実施するように構成されている、電子デバイス。
【国際調査報告】
2021521691.tif 000018
2021521691.tif 000019
2021521691.tif 000020
2021521691.tif 000021
2021521691.tif 000022
2021521691.tif 000023